(57)【要約】      （修正有）【課題】傘に効果的に衝撃を与え、傘生地の撥水機能を利用して、傘の水切りをより一層効果的に行うことができる傘の水切り具の提供。【解決手段】傘の水切り具１は、石突き１３を下にした傘５を人の歩行方向に沿って案内する傘案内路１４が一対の石突き打ち当て部材２，２間に形成されている。この傘の水切り具１において、一対の石突き打ち当て部材２，２は、傘５の手元１５側に接触することがなく、傘５の石突き１３が打ち当てられるように基台４上に取り付けられている。そして、この傘の水切り具１は、石突き１３を傘案内路１４内に位置させた状態において、傘５を振り動かした際に、石突き１３を一対の石突き打ち当て部材２，２のうちの一方と他方に交互に打ち当てることができるように、一対の石突き打ち当て部材２，２のうちの一方と他方が離して配置されている。【選択図】図１
2014131542.tif 000002
【特許請求の範囲】
【請求項１】
石突きを下にした傘を人の歩行方向に沿って案内する傘案内路が一対の石突き打ち当て
部材間に形成され、
前記一対の石突き打ち当て部材は、前記傘の手元側に接触することがなく、前記傘の前
記石突きが打ち当てられるように基台上に取り付けられており、
前記石突きを前記傘案内路内に位置させた状態において、前記傘を振り動かした際に、
前記石突きを前記一対の石突き打ち当て部材のうちの一方と他方に交互に打ち当てること
ができるように、前記一対の石突き打ち当て部材のうちの一方と他方が離して配置された
、
ことを特徴とする傘の水切り具。
【請求項２】
前記基台は、前記傘案内路に沿って歩行する人と前記傘案内路に沿って案内される前記
傘との間に位置し、前記傘から叩き落とされた水滴が前記傘案内路に沿って歩行する人に
向かって飛散するのを防ぐ水よけ部材が取り付けられた、
ことを特徴とする請求項１に記載の傘の水切り具。
【請求項３】
前記基台は、前記傘案内路を挟む位置に、前記傘から叩き落とされた水滴が周囲に飛散
するのを防ぐ水よけ部材が取り付けられた、
ことを特徴とする請求項１に記載の傘の水切り具。
【発明の詳細な説明】
【技術分野】
【０００１】
この発明は、電力を消費することなく、傘表面に付着した雨滴等の水切りを行う傘の水
切り具に関するものである。
【背景技術】
【０００２】
雨天時において、図書館，映画館，デパート等に雨滴が付着した傘を持ち込む場合、傘
から落下する水で床が濡れるのを防止するため、図書館等の入口に配置された使い捨ての
樹脂製の傘袋に傘を収容するようになっている。そして、図書館等から退館する場合には
、不要となった傘袋を回収ボックスに戻すようになっている。しかしながら、このように
、使い捨ての樹脂製の傘袋を多用するのは、近年の省資源化の要請に反するものであり、
ゴミを増やすという問題をも生じる。又、使用済みの傘袋を回収ボックスに戻す際に、傘
袋から漏れた水が回収ボックス周辺の床を濡らしたり、使用済みの傘袋が回収ボックスか
ら溢れ出て美観を損ねるという問題を生じることがある。
【０００３】
また、従来から電力を消費する送風機、加振手段、モータ等を使用して傘の水切りをす
る傘の水切り装置が開発されている（特許文献１、２参照）。しかし、このような傘の水
切り装置は、構造が複雑で且つ構成部品が高価であるため、製品価格が高価であり、しか
も電力を消費するため、電気代が嵩むという問題を有している。
【０００４】
このような従来例の問題を解決するものとして、本願出願人は、傘を持った人が傘の水
切り機の前で立ち止って水切り動作をしなくてもよく、傘を持った人が傘の水切り機の壁
に傘を打ち当てながら通過するだけで、傘に付着した水滴を叩き落とすことができ且つ電
力を消費しない傘の水切り機を案出した（特許文献３，４参照）。
【先行技術文献】
【特許文献】
【０００５】
【特許文献１】特開平３−１２９２８４号公報
【特許文献２】特開平５−９１９１６号公報
【特許文献３】特許第３２４２０７４号公報
【特許文献４】特許第３２８９８３０号公報
【発明の概要】
【発明が解決しようとする課題】
【０００６】
近年、傘生地の撥水機能が向上し、傘に適切に衝撃を加えるだけで、傘に付着した水滴
を叩き落とすことが可能となった。
【０００７】
しかしながら、本願出願人が案出した従来の傘の水切り機は、傘の全体を吸水機能及び
緩衝機能を備えた壁に打ち当てるか、又は、傘の石突き側と手元側を吸水機能及び緩衝機
能を備えた壁に打ち当てるようになっていたため、傘に加わる衝撃が緩和され、傘生地の
撥水機能を十分に発揮させることができなかった。
【０００８】
そこで、本発明は、傘に効果的に衝撃を与え、傘生地の撥水機能を利用して、傘の水切
りをより一層効果的に行うことができる傘の水切り具の提供を目的とする。
【課題を解決するための手段】
【０００９】
図１及び図２に示すように、本発明に係る傘の水切り具１は、石突き１３を下にした傘
５を人の歩行方向に沿って案内する傘案内路１４が一対の石突き打ち当て部材２，２（１
７，１７）間に形成されている。本発明に係る傘の水切り具１において、前記一対の石突
き打ち当て部材２，２（１７，１７）は、前記傘５の手元１５側に接触することがなく、
前記傘５の前記石突き１３が打ち当てられるように基台４上に取り付けられている。そし
て、本発明に係る傘の水切り具１は、前記石突き１３を前記傘案内路１４内に位置させた
状態において、前記傘５を振り動かした際に、前記石突き１３を前記一対の石突き打ち当
て部材２，２（１７，１７）のうちの一方と他方に交互に打ち当てることができるように
、前記一対の石突き打ち当て部材２，２（１７，１７）のうちの一方と他方が離して配置
されている。
【発明の効果】
【００１０】
本発明によれば、傘の石突きと一対の石突き打ち当て部材との衝突の衝撃が傘全体に効
果的に伝えられ、傘生地の撥水機能を十分に発揮させ、傘の水切りを効果的に行うことが
できる。
【図面の簡単な説明】
【００１１】
【図１】本発明の第１実施形態に係る傘の水切り具を示すものであり、図１（ａ）が傘の水切り具の正面図、図１（ｂ）が傘の水切り具を右斜め上方から見た斜視図、図１（ｃ）が石突き打ち当て部材の変形例を示す図である。
【図２】本発明の第２実施形態に係る傘の水切り具を示すものであり、図２（ａ）が傘の水切り具の正面図、図２（ｂ）が傘の水切り具を右斜め上方から見た斜視図である。
【発明を実施するための形態】
【００１２】
以下、本発明の実施の形態を図面に基づき詳述する。
【００１３】
（第１実施形態）
図１は、本発明の第１実施形態に係る傘の水切り具１に関するものである。なお、図１
（ａ）は、傘の水切り具１の正面図である。また、図１（ｂ）は、傘の水切り具１を右斜
め上方から見た斜視図である。また、図１（ｃ）は、石突き打ち当て部材２の変形例を示
す図であり、石突き打ち当て部材２を中心軸ＣＬに沿って切断して示す断面図である。
【００１４】
この図１に示すように、傘の水切り具１は、下面側にキャスター３が複数取り付けられ
た基台４と、この基台４上に取り付けられた一対の石突き打ち当て部材２，２と、を備え
ている。
【００１５】
基台４は、平面形状が矩形形状の板状部材であり、プラスチック又は金属（アルミニウ
ム、ステンレス等）で形成されている。なお、基台４は、表裏に貫通する単数又は複数の
排水穴を形成することにより、傘５から叩き落とされて基台４上に落下した水を排水穴を
介して床面又は地面上に排水することが可能となる。また、基台４は、下面側に貯水トレ
イを取り付け、排水穴から排水される水を貯水トレイ内に収容することにより、床面が水
で濡れるのを防止することができる。
【００１６】
一対の石突き打ち当て部材２，２は、基台４上に突出するように設けられた複数の支持
脚６と、この支持脚６によって両端が回動可能に支持された棒状体７と、を有している。
支持脚６は、プラスチック又は金属（アルミニウム、ステンレス等）で形成されており、
基台４と一体に形成されるか、基台４に溶着，溶接又はねじ等で固定されている。また、
支持脚６は、先端側に軸穴８が形成されており、その軸穴８が棒状体７の両端の支持軸１
０を回動可能に支持するようになっている。棒状体７は、プラスチックで形成された中実
丸棒であり、この中実丸棒の両端面の中心に支持軸１０が突出形成されている。なお、棒
状体７は、プラスチックで形成された中空丸棒１１の両端に、支持軸１０を備えた蓋部材
１２を嵌合固定したものでもよい（図１（ｃ）参照）。また、中空丸棒１１は、金属パイ
プの表面をプラスチック又はゴムの被膜で覆ったものでもよい。
【００１７】
このような一対の石突き打ち当て部材２，２は、中心軸ＣＬが傘を持った人の歩行方向
に沿って平行に位置するように配置されている。また、一対の石突き打ち当て部材２，２
の一方と他方は、傘５の石突き１３の案内路（傘案内路）１４になるように離して配置さ
れている。そして、一対の石突き打ち当て部材２，２は、一方の石突き打ち当て部材２と
他方の石突き打ち当て部材２との間に傘５の石突き１３が位置する状態において、傘５が
手元１５側を揺動支点として振り動かされると、傘５の手元１５側が打ち当てられること
がなく（傘５の手元１５側と接触することがなく）、傘５の石突き１３が一方の石突き打
ち当て部材２と他方の石突き打ち当て部材２に交互に打ち当てられるようになっている。
【００１８】
このような本実施形態に係る傘の水切り具１によれば、人が傘５の石突き１３を一対の
石突き打ち当て部材２，２間に位置させた状態で歩きながら傘５を振り動かすと、傘５の
石突き１３が一対の石突き打ち当て部材２，２の一方と他方に交互に打ち当てられ、この
石突き１３と一対の石突き打ち当て部材２，２との衝突の衝撃が石突き１３に効果的に加
えられ、石突き１３に加えられた衝撃が図示しない傘５の中棒，受け骨，親骨を介して傘
生地１６に効果的に伝えられる。その結果、本実施形態に係る傘の水切り具１は、傘生地
１６の撥水機能を十分に発揮させることができ、傘生地１６に付着した水滴を従来の水切
り機よりも効率的に叩き落とすことが可能になる。なお、従来の水切り機は、傘５の手元
１５側が吸水機能及び緩衝機能を備えた壁に打ち当てられることにより、傘５に加えられ
る衝撃が緩和される分だけ、本実施形態に係る傘の水切り具１よりも、傘５に加えること
ができる衝撃が少なくなり、傘生地１６の撥水機能を発揮させ難くなる。
【００１９】
また、本実施形態に係る傘の水切り具１は、一対の石突き打ち当て部材２，２の棒状体
７が支持脚６によって回動可能に支持されているため、棒状体７と石突き１３との接触位
置を適宜変えることができ、一対の石突き打ち当て部材２，２の摩耗や変形を抑え、耐久
性を高めることができる。
【００２０】
また、本実施形態に係る傘の水切り具１は、従来例に係る水切り機と比較して、吸水機
能及び緩衝機能を備えた高価な壁が不要となり、構造が簡単化するため、製品価格が低廉
化する。
【００２１】
（第２実施形態）
図２は、本発明の第２実施形態に係る傘の水切り具１を示すものである。なお、図２（
ａ）は、傘の水切り具１の正面図である。また、図２（ｂ）は、傘の水切り具１を右斜め
上方から見た斜視図である。
【００２２】
図２に示すように、本実施形態に係る水切り具１は、一対の石突き打ち当て部材１７，
１７が板厚ｔ及び高さｈが一定の板状部材又は角棒状部材であり、この板状部材又は角棒
状部材で構成された一対の石突き打ち当て部材１７，１７が上記第１実施形態の一対の石
突き打ち当て部材２，２に代えて基台４上に固定されている点を除き、上記第１実施形態
の傘の水切り具１と同様の構成になっている。ここで、一対の石突き打ち当て部材１７，
１７は、プラスチックで形作られるか、又は金属の表面をプラスチック若しくはゴムで覆
ったもので形作られている。なお、図２に示す本実施形態に係る水切り具１において、上
記第１実施形態に係る水切り具１と同様の構成部分には同一符号を付し、上記第１実施形
態の説明と重複する説明を省略する。
【００２３】
本実施形態に係る傘の水切り具１は、上記第１実施形態の傘の水切り具１と同様に、人
が傘５の石突き１３を一対の石突き打ち当て部材１７，１７間に位置させた状態で歩きな
がら傘５を振り動かすと、傘５の石突き１３が一対の石突き打ち当て部材１７，１７の一
方と他方に交互に打ち当てられ、石突き１３に効果的に衝撃が加えられ、石突き１３に加
えられた衝撃が図示しない傘５の中棒，受け骨，親骨を介して傘生地１６に効果的に伝え
られる。その結果、本実施形態に係る傘の水切り具１は、傘生地１６の撥水機能を十分に
発揮させることができ、傘生地１６に付着した水滴を従来の水切り機よりも効率的に叩き
落とすことが可能になる。
【００２４】
また、本実施形態に係る傘の水切り具１は、従来例に係る水切り機と比較して、吸水機
能及び緩衝機能を備えた高価な壁が不要となり、構造が簡単化するため、製品価格が低廉
化する。
【００２５】
（第１及び第２実施形態の変形例）
図１（ｂ）及び図２（ｂ）に示すように、第１及び第２実施形態に係る傘の水切り具１
は、基台４の片側に水よけ部材１８（又は２０）を設置してもよい。この水よけ部材１８
（又は２０）は、傘案内路１４に沿って歩行する人と傘案内路１４に沿って案内される傘
５との間に位置し、傘５から叩き落とされた水滴が傘案内路１４に沿って歩行する人に向
かって飛散するのを防ぐようになっている。このような水よけ部材１８（又は２０）を備
えた傘の水切り具１は、傘案内路１４に沿って歩行する人が傘５から叩き落とされた水で
濡れるのを防止できる。
【００２６】
また、図１（ｂ）及び図２（ｂ）に示すように、第１及び第２本実施形態に係る傘の水
切り具１は、基台４の両側にそれぞれ水よけ部材１８，２０を設置してもよい。この一対
の水よけ部材１８，２０は、傘案内路１４を挟むように位置しており、傘５から叩き落と
された水が基台４の周囲に飛散するのを防ぐようになっている。このような一対の水よけ
部材１８，２０を備えた傘の水切り具１は、傘案内路１４に沿って歩行する人と傘案内路
１４に沿って案内される傘５との間に位置し、傘５から叩き落とされた水滴が傘案内路１
４に沿って歩行する人に向かって飛散するのを防ぎ、傘案内路１４に沿って歩行する人が
傘５から叩き落とされた水で濡れるのを防止できると共に、基台４の周囲が傘５から叩き
落とされた水で濡れるのを防止できる。
【００２７】
なお、水よけ部材１８，２０は、プラスチックの略矩形形状の薄板であり、人の歩行方
向に沿った両端部で且つ上端部のコーナー部２１が円弧状に丸く形成され、傘５を持つ手
が衝突しても、手が傷付き難くなっている。
【００２８】
また、上記第１実施形態における石突き打ち当て部材２及び上記第２実施形態における
石突き打ち当て部材１７は、木材、木材に樹脂材料を含浸させたもの、又は木材の表面を
木材以外の材料（プラスチック、ゴム等）で覆ったもので形作ってもよい。
【符号の説明】
【００２９】
１……傘の水切り具、２，１７……石突き打ち当て部材、４……基台、５……傘、１３
……石突き、１４……傘案内路、１５……手元
【図１】
2014131542.tif 000003
【図２】
2014131542.tif 000004